(57)【要約】【課題】カラオケ演奏を行う仲間内の連帯を強める演奏評価機能を備えたカラオケ装置を提供する。【解決手段】電子早見本装置２２により入力される情報に応じて利用者のログイン認証を行うログイン認証制御手段１０２と、予め定められた関係からマイクロフォン４０により入力される音声情報に基づいてカラオケ装置１６による演奏を評価する演奏評価制御手段１１０と、期間を任意に設定でき、その期間内における演奏評価制御手段１１０による評価結果を、ログイン認証制御手段１０２により認証される利用者を母集団として統計する演奏評価統計手段１１２とを、備えたものであることから、対象となるカラオケ装置１６を頻繁に利用する比較的少人数の利用者の間で、任意に期間を決定してのカラオケ大会を開催することができる。【選択図】図５
2010078880.tif 000002
【特許請求の範囲】
【請求項１】
多数の演奏曲のうちから選択される所定の演奏曲を出力させるカラオケ装置であって、
所定の入力装置により入力される情報に応じて利用者のログイン認証を行うログイン認証制御手段と、
予め定められた関係から所定の音声入力装置により入力される音声情報に基づいて前記カラオケ装置による演奏を評価する演奏評価制御手段と、
期間を任意に設定でき、該期間内における前記演奏評価制御手段による評価結果を、前記ログイン認証制御手段により認証される利用者を母集団として統計する演奏評価統計手段と
を、備えたものであることを特徴とするカラオケ装置。
【請求項２】
前記演奏評価統計手段は、予め定められた関係から前記ログイン認証制御手段により正常にログイン認証された回数に基づいて前記統計に補正をかけるものである請求項１に記載のカラオケ装置。
【請求項３】
前記演奏評価統計手段は、前記ログイン認証制御手段により正常にログイン認証された回数が多いほど該利用者の順位が高くなるように前記統計に補正をかけるものである請求項２に記載のカラオケ装置。
【請求項４】
前記演奏評価統計手段は、前記ログイン認証制御手段により正常にログイン認証された回数が少ないほど該利用者の順位が高くなるように前記統計に補正をかけるものである請求項２に記載のカラオケ装置。
【請求項５】
前記演奏評価統計手段は、前記期間内における前記演奏評価制御手段による各利用者の評価結果の平均を順位付けする統計を行うものである請求項１から４の何れか１項に記載のカラオケ装置。
【請求項６】
前記演奏評価統計手段は、前記期間の満了前であっても所定の入力装置による操作に応じてその時点までの期間内における前記演奏評価制御手段による評価結果の統計を行うものである請求項１から５の何れか１項に記載のカラオケ装置。
【請求項７】
前記演奏評価統計手段による統計の結果を表示させると共に、該統計の結果の表示が行われるまで前記演奏評価制御手段による演奏評価結果を非表示とする演奏評価統計結果表示手段を備えたものである請求項１から６の何れか１項に記載のカラオケ装置。
【請求項８】
前記演奏評価統計手段による統計の対象として、各利用者が少なくとも１回は演奏しなければならない少なくとも１曲の演奏曲を課題曲として設定できるものである請求項１から７の何れか１項に記載のカラオケ装置。
【発明の詳細な説明】
【技術分野】
【０００１】
本発明は、例えばパブ、スナック等の店舗で使用されるカラオケ装置に関し、特に、その演奏評価機能の改良に関する。
【背景技術】
【０００２】
多数の演奏曲のうちから選択される所定の演奏曲を出力させる音楽再生装置が知られている。例えば、パブ、スナック等の店舗で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
ところで、近年普及しているカラオケ装置には、上述のような音楽再生装置としての機能のみならず、マイクから入力される音声情報に基づいて歌唱力等を評価（採点）する演奏評価機能を備えたものがある。例えば、特許文献１に記載されたカラオケ装置がそれである。斯かるカラオケ装置によれば、音程、テンポ、音量等を基準としてマイクロフォンから入力される音声情報とカラオケ演奏曲の演奏情報とを比較することで、その入力される音声情報に応じて歌唱の評価を採点することができる。
【０００４】
【特許文献１】特開平９−１０１７９４号公報
【０００５】
しかし、近年においては、演奏評価機能を備えたカラオケ装置が広く普及したことにより、前述した従来の演奏評価機能は特に目新しいものではなくなった。更には、その機能が音程、テンポ、音量等を基準として演奏を評価するものであることが広く知られるようになり、高得点を出すための選曲や歌い方が確立する等した結果、カラオケ演奏における場の雰囲気を盛り上げて仲間内の連帯を強めるといった演奏評価本来の目的から離れたものになりがちであった。とりわけ、パブやスナック等の店舗におけるカラオケ装置のように、カラオケ演奏を行う顔ぶれがほぼ決まっている態様においては、そのような仲間内での楽しみが重要になってくる。このため、カラオケ演奏を行う仲間内の連帯を強める演奏評価機能を備えたカラオケ装置の開発が求められていた。
【発明の開示】
【発明が解決しようとする課題】
【０００６】
本発明は、以上の事情を背景として為されたものであり、その目的とするところは、カラオケ演奏を行う仲間内の連帯を強める演奏評価機能を備えたカラオケ装置を提供することにある。
【課題を解決するための手段】
【０００７】
斯かる目的を達成するために、本発明の要旨とするところは、多数の演奏曲のうちから選択される所定の演奏曲を出力させるカラオケ装置であって、所定の入力装置により入力される情報に応じて利用者のログイン認証を行うログイン認証制御手段と、予め定められた関係から所定の音声入力装置により入力される音声情報に基づいて前記カラオケ装置による演奏を評価する演奏評価制御手段と、期間を任意に設定でき、その期間内における前記演奏評価制御手段による評価結果を、前記ログイン認証制御手段により認証される利用者を母集団として統計する演奏評価統計手段とを、備えたことを特徴とするものである。
【発明の効果】
【０００８】
このようにすれば、所定の入力装置により入力される情報に応じて利用者のログイン認証を行うログイン認証制御手段と、予め定められた関係から所定の音声入力装置により入力される音声情報に基づいて前記カラオケ装置による演奏を評価する演奏評価制御手段と、期間を任意に設定でき、その期間内における前記演奏評価制御手段による評価結果を、前記ログイン認証制御手段により認証される利用者を母集団として統計する演奏評価統計手段とを、備えたものであることから、対象となるカラオケ装置を頻繁に利用する比較的少人数の利用者の間で、任意に期間を決定してのカラオケ大会を開催することができる。すなわち、カラオケ演奏を行う仲間内の連帯を強める演奏評価機能を備えたカラオケ装置を提供することができる。
【０００９】
ここで、好適には、前記演奏評価統計手段は、予め定められた関係から前記ログイン認証制御手段により正常にログイン認証された回数に基づいて前記統計に補正をかけるものである。このようにすれば、仲間内の事情を汲んで演奏評価統計を操作することができ、仲間内の連帯を更に好適に強めることができる。
【００１０】
また、好適には、前記演奏評価統計手段は、前記ログイン認証制御手段により正常にログイン認証された回数が多いほどその利用者の順位が高くなるように前記統計に補正をかけるものである。このようにすれば、例えばパブやスナック等の店舗において、足繁く通う常連ほど順位が高くなるように演奏評価統計を操作することができ、斯かる常連の満足感を高めることができる。
【００１１】
また、好適には、前記演奏評価統計手段は、前記ログイン認証制御手段により正常にログイン認証された回数が少ないほどその利用者の順位が高くなるように前記統計に補正をかけるものである。このようにすれば、例えばパブやスナック等の店舗において、あまり通わない利用者ほど順位が高くなるように演奏評価統計を操作することができ、斯かる利用者の足を店舗に向かわせる効果が期待できる。
【００１２】
また、好適には、前記演奏評価統計手段は、前記期間内における前記演奏評価制御手段による各利用者の評価結果の平均を順位付けする統計を行うものである。このようにすれば、所定の期間内における利用者の演奏評価統計を実用的な態様で行うことができる。
【００１３】
また、好適には、前記演奏評価統計手段は、前記期間の満了前であっても所定の入力装置による操作に応じてその時点までの期間内における前記演奏評価制御手段による評価結果の統計を行うものである。このようにすれば、仲間内の事情に応じて当初の期間の満了前であってもカラオケ大会を中途終了させ、そこまでの演奏評価統計を行うことができる。
【００１４】
また、好適には、前記演奏評価統計手段による統計の結果を表示させると共に、その統計の結果の表示が行われるまで前記演奏評価制御手段による演奏評価結果を非表示とする演奏評価統計結果表示手段を備えたものである。このようにすれば、カラオケ大会が終了するまで演奏評価結果を開示しないことで、その大会期間中の利用者の気持ちを冷めさせずに維持することができる。
【００１５】
また、好適には、前記演奏評価統計手段による統計の対象として、各利用者が少なくとも１回は演奏しなければならない少なくとも１曲の演奏曲を課題曲として設定できるものである。このようにすれば、仲間内の事情に応じて所定の課題曲を定めることで、その仲間内の連帯を更に好適に強めることができる。
【発明を実施するための最良の形態】
【００１６】
以下、本発明の好適な実施例を図面に基づいて詳細に説明する。
【実施例】
【００１７】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の一実施例であるカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台乃至数台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１８】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音声入力装置であるマイクロフォン４０と、そのマイクロフォン４０から入力される音声をディジタル信号に変換するためのＡ／Ｄコンバータ４１と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２とを、備えて構成されている。
【００１９】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００２０】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。
【００２１】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００２２】
前記ＣＰＵ５０は、前記ＲＡＭ５４の一時記憶機能を利用しつつ前記ＲＯＭ５２に予め記憶された所定のプログラムに基づいて電子情報を処理・制御する所謂マイクロコンピュータであり、前記電子早見本装置２２やリモコン装置６４等により所定のカラオケ演奏曲が選曲された場合、その選曲されたカラオケ演奏曲を前記ＲＡＭ５４に設けられた予約曲テーブルに登録したり、その予約曲テーブルの演奏順に従って前記ハードディスク５６から前記ＲＡＭ５４に選曲されたカラオケ演奏曲の演奏情報及び歌詞情報等を読み出したり、カラオケ演奏曲の演奏が進行するのに応じてそのＲＡＭ５４から前記シンセサイザ３８へ演奏情報を送信したり、歌詞情報に基づいて歌詞文字映像を生成して前記映像出力制御部３２へ送ったり、選曲時には曲名文字映像を生成して前記映像出力制御部３２へ送ったり、前記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御に加えて、後述するログイン認証制御、演奏評価制御、乃至その演奏評価の統計制御等を実行する。
【００２３】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２４】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。
【００２５】
前記ハードディスク５６には、カラオケ演奏曲を出力させるための多数のカラオケデータ（楽曲データ）を記憶するカラオケデータベース９６、及び前記カラオケ装置１６を利用する利用者毎にカラオケ演奏に係る種々の情報を記憶する顧客別データベース９８をはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たな楽曲データ等が前記サーバ装置２０から前記通信回線１８を介して配信され、前記ハードディスク５６のカラオケデータベース９６等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記カラオケデータベース９６等の内容が等価なものとされる。
【００２６】
上記カラオケデータベース９６に記憶されるカラオケデータは、前記シンセサイザ３８により所定の楽器の演奏音を生成するための演奏情報及び歌詞文字映像（歌詞テロップ）を生成するための歌詞情報から成るものであり、コンテンツＩＤである各演奏曲に固有の選曲番号により識別される。また、上記顧客別データベース９８には、前記カラオケ装置１６を利用する各利用者の名前（ニックネーム）、ログイン認証に用いられるパスワード、生年月日、性別、メールアドレス、地域、血液型、星座、パスワードを忘れたときのための質問及び解答、その利用者が過去に前記カラオケ装置１６にログインした履歴乃至その回数、その利用者が前記カラオケ装置１６によるカラオケ演奏において選曲した選曲履歴（カラオケ装置１６において過去に選曲された演奏曲の履歴）、その利用者が前記カラオケ装置１６によるカラオケ演奏において過去に行った演奏評価の評価結果に関する情報、その利用者が前記カラオケ装置１６によるカラオケ演奏において十八番曲として登録した演奏曲（簡易な操作により選曲入力を行い得るように設定された演奏曲）に関する情報、及びその利用者が前記電子早見本装置２２を介して過去に注文したドリンク等の注文品の履歴乃至その金額等の情報がその利用者の識別情報（ＩＤ）と関連付けられて記憶されている。
【００２７】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ６８を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６６を備えている。前記電子早見本装置２２は、そのクレイドル６６に取り付けられた状態又はそのクレイドル６６から取り外された状態で用いられ、取り付けられた状態においては、そのクレイドル６６及びＬＡＮ２４を介して前記カラオケ装置１６に有線接続されるようになっている。また、上記クレイドル６６から取り外された状態においては、上記アクセスポイント２６及びＬＡＮ２４を介して前記カラオケ装置１６に無線接続されるようになっている。
【００２８】
図４は、前記電子早見本装置２２の構成を説明するブロック線図である。この図４に示すように、前記電子早見本装置２２は、上記タッチパネルディスプレイ６８に所定の映像を表示させる表示装置７２と、その表示装置７２による表示を制御する表示制御部７４と、利用者の指や図示しない備え付けのペン等によるタッチパネルディスプレイ６８への接触により入力を行うタッチパネル７６と、そのタッチパネル７６による入力を制御する入力制御部７８と、中央演算処理装置であるＣＰＵ８０と、読出専用メモリであるＲＯＭ８２と、随時書込読出メモリであるＲＡＭ８４と、フラッシュＲＯＭ等の記憶部８６と、インターフェイス８８と、リモコン送信部９０と、無線ＬＡＮ通信部９２と、上記クレイドル６６と電気的な接続を可能とするためのコネクタ９４ａとを、備えて構成されている。上記クレイドル６６には、斯かる電子早見本装置２２と電気的な接続を可能とするためのコネクタ９４ｂが設けられており、前記電子早見本装置２２は、前記クレイドル６６に載置されて上記コネクタ９４ａ及び９４ｂが相互に接触させられることで、上記インターフェイス８８を介して前記クレイドル６６乃至はＬＡＮ２４に接続されるようになっている。
【００２９】
上記ＣＰＵ８０は、上記ＲＡＭ８４の一時記憶機能を利用しつつ上記ＲＯＭ８２に記憶された情報に基づいて情報処理を実行する所謂マイクロコンピュータであり、上記表示制御部７４を介して前記タッチパネルディスプレイ６８（表示装置７２）に所定の映像を表示させたり、その映像に基づく前記タッチパネルディスプレイ６８（タッチパネル７６）への接触により上記入力制御部７８を介して入力される入力信号を処理したり、その入力信号に基づき前記無線ＬＡＮ通信部９２等を介して前記カラオケ装置１６へ選曲入力をはじめとする入力送信を行ったり、マスターコマンダである前記カラオケ装置１６ａを介して前記センタ装置２０との間で情報の通信を行う等といった基本的な制御に加えて、後述するログイン情報送信制御や注文情報送信制御等を実行する。また、上記記憶部８６には、前記カラオケ装置１６のカラオケデータベース９６に記憶された多数のカラオケ情報それぞれに対応して曲名、アーティスト名、属性情報、歌詞の歌い出し部分等の選曲案内情報、及び備考等が選曲番号毎に記憶されている。
【００３０】
図５は、前記カラオケ装置１６のＣＰＵ５０及び前記電子早見本装置２２のＣＰＵ８０に備えられた制御機能の要部を説明する機能ブロック線図である。なお、この図５に示すログイン情報送信手段１００及び注文情報送信手段１０４は、前記電子早見本装置２２のＣＰＵ８０に機能的に備えられたものであり、ログイン認証制御手段１０２、カラオケ演奏制御手段１０６、及びカラオケ大会制御手段１０８は前記カラオケ装置１６のＣＰＵ５０に機能的に備えられたものである。
【００３１】
上記ログイン情報送信手段１００は、前記タッチパネルディスプレイ６８を介して入力される、利用者のログイン認証を行うための情報を前記カラオケ装置１６へ送信する。例えば、前記表示制御部７４を介して前記表示装置７２に図示しない所定のログイン情報入力画面を表示させ、その画面に従い前記タッチパネル７６を介して入力される利用者の識別情報（ＩＤ）及びログインパスワード等の情報を、前記ＬＡＮ２４等を介して前記カラオケ装置１６へ送信する。
【００３２】
前記ログイン認証制御手段１０２は、前記ログイン情報送信手段１００により送信される情報に応じて利用者のログイン認証を行い、その認証が正常に行われた場合にはその識別情報をもってその利用者の前記カラオケ装置１６へのログインを許可する。例えば、前記ログイン情報送信手段１００により送信された識別情報及びログインパスワードに関して、その識別情報に関連付けられて前記顧客別データベース９８に記憶されたパスワードが入力されたものと一致するか否かを判定し、一致する場合には正常な認証を行う一方、一致しない場合にはエラーとする。
【００３３】
前記注文情報送信手段１０４は、前記タッチパネルディスプレイ６８を介して入力される、所定の商品の注文に係る情報を前記カラオケ装置１６へ送信する。この商品とは、例えば、前記カラオケ装置１６の設置された店舗１２において販売されているドリンクや軽食等であり、前記電子早見本装置２２を用いてそれらの商品の注文ができるようになっている。この電子早見本装置２２による注文に関する情報は、例えば、前記ＬＡＮ２４等を介して前記店舗１２のカウンタ等に送信されるように構成されている。前記注文情報送信手段１０４は、そのようにして前記電子早見本装置２２による所定の商品の注文が行われた場合、その商品の識別情報、品目、値段、数量等の情報を前記カラオケ装置１６に送信する。そして、この注文情報送信手段１０４により送信された情報は、前記顧客別データベース９８に利用者毎の情報としてその利用者の識別情報と関連づけられて記憶される。
【００３４】
前記カラオケ演奏制御手段１０６は、前記カラオケ装置１６によるカラオケ演奏に際しての演奏曲の出力を制御する。具体的には、前記ＲＡＭ５４等に記憶された予約曲テーブルにおける演奏順に、その予約曲テーブルに記憶された演奏曲の選曲番号に対応するカラオケ情報を前記カラオケデータベース９６から読み出し、そのカラオケ情報に含まれる演奏情報に基づいて演奏曲の出力を制御する。すなわち、演奏情報としてのＭＩＤＩデータに基づいて、前記シンセサイザ３８によりそのＭＩＤＩデータにおける楽譜情報としてのトラック乃至はチャンネルに対応する楽器の演奏音（音楽情報）を出力させ、前記アンプミキサ４２を介して前記スピーカ４４から出力させる。
【００３５】
前記カラオケ大会制御手段１０８は、前記ログイン認証制御手段１０２により認証される利用者を対象として、任意の期間内におけるそれら利用者のカラオケ演奏の評価結果を等級付け（ランキング）するカラオケ大会制御を実行する。すなわち、斯かるカラオケ大会を行う期間として、その開始日時及び終了日時を任意に設定でき、その期間内における各利用者のカラオケ演奏の評価結果を、前記ログイン認証制御手段１０２により認証される利用者を母集団として統計する。このカラオケ大会に係る開始日時及び終了日時は、好適には、前記電子早見本装置２２等による入力操作を介して行われる。例えば、前記電子早見本装置２２のタッチパネルディスプレイ６８に表示された図６に示すようなカラオケ大会設定画面１１６に従い、所定の入力操作が行われることでカラオケ大会に係る開始日時及び終了日時等が設定される。例えば、図６に示す「今から開始」ボタンが押された場合に、大会決定画面を前記タッチパネルディスプレイ６８に表示させ、その大会決定画面に従って入力される大会期間及び開始時間等の情報により、対象となる大会の開始日時及び終了日時が決定される。また、好適には、このカラオケ大会に関して、後述する演奏評価統計手段１１２による統計の対象として、各利用者が少なくとも１回は演奏しなければならない少なくとも１曲の演奏曲を課題曲として設定できる。また、斯かる制御を行うために、演奏評価制御手段１１０、演奏評価統計手段１１２、及び演奏評価統計結果表示手段１１４を備えている。以下、これらの制御機能について分説する。
【００３６】
上記演奏評価制御手段１１０は、予め定められた関係から、音声入力装置である前記マイクロフォン４０により入力される利用者の音声に基づいてその利用者の演奏を評価する。例えば、前記マイクロフォン４０により入力されて前記Ａ／Ｄコンバータ４１によりディジタル信号に変換された音声情報と、前記カラオケデータベース９６から読み出される演奏情報（ＭＩＤＩデータ）に基づいて前記シンセサイザ３８により出力される演奏情報とを比較し、メロディなどの基本音程と入力される音声から抽出される音程との相対的なずれやその音声の絶対的な声量などを基準として評価を行う。この評価の態様としては、例えば、千点満点中何点というように数値的に採点を行うものであってもよいし、２０段階評定の何れに当てはまるかを判定するというように簡易なものであってもよい。また、好適には、対象となる演奏曲が出力される間すなわち演奏開始から演奏終了までの間に所定のタイミングで複数回、例えばその演奏曲における所定のフレーズ（楽句）毎に上記評価を行い、演奏終了時に最終的な評価を算出する。また、斯かる演奏評価制御手段１１０による評価結果は、前記ログイン認証制御手段１０２により認証される利用者毎に行われ、その評価結果は、前記顧客別データベース９８に演奏の主体である利用者と関連づけられて記憶される。また、好適には、評価に係る演奏曲すなわち前記演奏評価手段１１０による評価の対象となったカラオケ演奏に対応する演奏曲の選曲番号がその評価結果と関連づけられて各利用者毎に前記顧客別データベース９８に記憶される。
【００３７】
前記演奏評価統計手段１１２は、前記カラオケ大会制御手段１０８において設定された期間内における前記演奏評価制御手段１１０による評価結果を、前記ログイン認証制御手段１０２により認証される利用者を母集団として統計する。好適には、前記期間内における前記演奏評価制御手段１１０による各利用者の評価結果すなわち前記顧客別データベース９８にその期間内に記憶された各利用者の演奏評価結果の平均を算出し、その平均を順位付け（ランキング）する統計を行う。
【００３８】
また、前記演奏評価統計手段１１２は、好適には、予め定められた関係から前記期間内（大会期間内）に前記ログイン認証制御手段１０２により正常にログイン認証された回数すなわち前記顧客別データベース９８に記憶された各利用者毎のログイン回数に基づいて前記統計に補正をかける。例えば、前記顧客別データベース９８に記憶されたログイン回数が１０回未満である場合には評価結果の平均を補正せず、１０回以上３０回未満である場合には評価結果の平均を１割増とする補正をかけ、３０回以上である場合には評価結果の平均を２割増とする補正をかけるというように、前記顧客別データベース９８に記憶されたログイン回数が多いほどその利用者の順位が高くなるように前記統計に補正をかける。また、逆に、前記顧客別データベース９８に記憶されたログイン回数が１０回未満である場合には評価結果の平均を２割増とする補正をかけ、１０回以上３０回未満である場合には評価結果の平均を１割増とする補正をかけ、３０回以上である場合には評価結果の平均に補正をかけないというように、前記顧客別データベース９８に記憶されたログイン回数が少ないほどその利用者の順位が高くなるように前記統計に補正をかけるものであってもよい。
【００３９】
また、前記演奏評価統計手段１１２は、好適には、予め定められた関係から前記期間内（大会期間内）に前記注文情報送信手段１０４により送信された注文に係る情報すなわち前記顧客別データベース９８に記憶された各利用者毎の注文品の履歴乃至その金額に基づいて前記統計に補正をかける。例えば、前記顧客別データベース９８に記憶された注文品の金額が５０００円未満である場合には評価結果の平均を補正せず、５０００以上１００００円未満である場合には評価結果の平均を１割増とする補正をかけ、１００００円以上である場合には評価結果の平均を２割増とする補正をかけるというように、前記顧客別データベース９８に記憶された注文品の累積金額が多いほどその利用者の順位が高くなるように前記統計に補正をかける。
【００４０】
また、前記演奏評価統計手段１１２は、好適には、前記カラオケ大会制御手段１０８によりカラオケ大会の開始時に設定された期間の満了前であっても前記電子早見本装置２２等による操作に応じてその時点までの期間内における前記演奏評価制御手段１１０による評価結果の統計を行う。換言すれば、前記電子早見本装置２２等による入力操作に応じて前記カラオケ大会が繰り上げ終了された場合、その時点までの期間内における前記演奏評価制御手段１１０による評価結果の統計を行う。このカラオケ大会の繰り上げ終了は、好適には、前記電子早見本装置２２等による入力操作を介して行われる。例えば、前記電子早見本装置２２のタッチパネルディスプレイ６８に表示された図７に示すようなカラオケ大会告知画面１１８において、大会を終了するための繰り上げ終了ボタン１２０が押されることで、その時点をもってカラオケ大会が終了させられ、その時点までの期間内における前記演奏評価制御手段１１０による評価結果の統計が行われる。
【００４１】
前記演奏評価統計結果表示手段１１４は、前記演奏評価統計手段１１２による統計の結果すなわち前記カラオケ大会の結果を、前記映像出力制御部３２及びビデオミキサ３６等を介して前記映像表示装置３０に表示させる。例えば、前記カラオケ装置１６によるカラオケ演奏が行われていない間に放映される曲間映像として、図８に示すようなカラオケ大会結果発表画面１２２を前記映像表示装置３０に縦スクロール表示させる。また、前記電子早見本装置２２のタッチパネルディスプレイ６８に斯かるカラオケ大会結果発表画面１２２を表示させるものであってもよい。また、前記演奏評価統計結果表示手段１１４は、好適には、斯かる統計の結果の表示が行われるまで前記演奏評価制御手段１１０による演奏評価結果を非表示とする。すなわち、前記カラオケ大会制御手段１０８により設定されたカラオケ大会期間が終了するまで各利用者の演奏評価結果を表示（公開）させずにその結果を前記顧客別データベース９８に記憶し、そのカラオケ大会期間が終了して前記演奏評価統計手段１１２による統計の結果が出た時点で初めてその統計の結果を前記映像表示装置３０や電子早見本装置２２等に視認可能に表示させる。
【００４２】
図９は、前記カラオケ装置１６のＣＰＵ５０によるログイン／ログアウト制御の要部について説明する図であり、所定の周期で繰り返し実行されるものである。
【００４３】
先ず、ステップ（以下、ステップを省略する）ＳＡ１において、前記電子早見本装置２２からログイン情報すなわち識別情報及びログインパスワードの送信があったか否かが判断される。このＳＡ１の判断が否定される場合には、ＳＡ６以下の処理が実行されるが、ＳＡ１の判断が肯定される場合には、ＳＡ２において、ＳＡ１にて受信された識別情報及びログインパスワードに関して、その識別情報に関連付けられて前記顧客別データベース９８に記憶されたパスワードが照会される。次に、ＳＡ３において、対象となる識別情報に関連付けられて前記顧客別データベース９８に記憶されたパスワードが入力されたものと一致するか否かが判断される。このＳＡ３の判断が肯定される場合には、ＳＡ４において、正常にログイン処理が行われた後、ＳＡ６以下の処理が実行されるが、ＳＡ３の判断が否定される場合には、ＳＡ５において、エラーである旨が前記電子早見本装置２２に返信された後、ＳＡ６において、前記電子早見本装置２２から所定の利用者のログアウト処理を行うための送信があったか否かが判断される。このＳＡ６の判断が否定される場合には、それをもって本ルーチンが終了させられるが、ＳＡ６の判断が肯定される場合には対象となる利用者のログアウト処理が行われた後、本ルーチンが終了させられる。以上の制御において、ＳＡ１乃至ＳＡ５が前記ログイン認証制御手段１０２の動作に対応する。
【００４４】
図１０は、前記カラオケ装置１６のＣＰＵ５０による演奏評価制御の要部について説明する図であり、所定の周期で繰り返し実行されるものである。
【００４５】
先ず、ＳＢ１において、カラオケ大会モードであるか否か、すなわち所定のカラオケ大会期間中であるか否かが判断される。このＳＢ１の判断が否定される場合には、それをもって本ルーチンが終了させられるが、ＳＢ１の判断が肯定される場合には、ＳＢ２において、所定の演奏曲のカラオケ演奏が開始されるか否かが判断される。このＳＢ２の判断が否定される場合には、それをもって本ルーチンが終了させられるが、ＳＢ２の判断が肯定される場合には、前記カラオケ演奏制御手段１１０の動作に対応するＳＢ３において、対象となる演奏曲のカラオケ演奏制御が実行される。次に、前記演奏評価制御手段１１０の動作に対応するＳＢ４において、予め定められた関係から前記マイクロフォン４０により入力される利用者の音声に基づいてその利用者の演奏評価が行われる。次に、ＳＢ５において、カラオケ演奏終了であるか否かが判断される。このＳＢ５の判断が否定される場合には、ＳＢ３以下の処理が再び実行されるが、ＳＢ５の判断が肯定される場合には、ＳＢ４にて行われた演奏評価が集計されて１曲を通しての演奏評価結果が算出された後、ＳＢ６において、その演奏評価結果が前記顧客別データベース９８に、その演奏評価に係る利用者の識別情報と関連づけられて記憶された後、本ルーチンが終了させられる。
【００４６】
図１１は、前記カラオケ装置１６のＣＰＵ５０によるカラオケ大会制御の要部について説明する図であり、所定の周期で繰り返し実行されるものである。
【００４７】
先ず、ＳＣ１において、前記電子早見本装置２２等を介してカラオケ大会を開始するための入力操作が行われたか否かが判断される。このＳＣ１の判断が否定される場合には、ＳＣ３以下の処理が実行されるが、ＳＣ１の判断が肯定される場合には、ＳＣ２において、前記電子早見本装置２２等を介して対象となるカラオケ大会の開始日時及び終了日時が設定される。次に、ＳＣ３において、前記電子早見本装置２２等を介してカラオケ大会の開催期間を変更するための入力操作が行われたか否かが判断される。このＳＣ３の判断が肯定される場合には、ＳＣ２以下の処理が再び実行されるが、ＳＣ３の判断が否定される場合には、ＳＣ４において、対象となるカラオケ大会の期間が終了したか否かが判断される。このＳＣ４の判断が肯定される場合には、ＳＣ６以下の処理が実行されるが、ＳＣ４の判断が否定される場合には、ＳＣ５において、前記電子早見本装置２２等を介して対象となるカラオケ大会を中途終了（繰り上げ終了）するための入力操作が行われたか否かが判断される。このＳＣ５の判断が否定される場合には、それをもって本ルーチンが終了させられるが、ＳＣ５の判断が肯定される場合には、前記演奏評価統計手段１１２の動作に対応するＳＣ６において、前記顧客別データベース９８に記憶された各利用者の演奏評価結果の平均が等級付けされると共に、対象となるカラオケ大会期間内において各利用者に対応して記憶されたログイン回数、注文品の履歴乃至その金額に基づいてその等級付けに補正（傾斜）がかけられる。次に、前記演奏評価統計結果表示手段１１４の動作に対応するＳＣ７において、ＳＣ６の統計結果が前記映像表示装置３０等に表示された後、本ルーチンが終了させられる。
【００４８】
このように、本実施例によれば、所定の入力装置により入力される情報に応じて利用者のログイン認証を行うログイン認証制御手段１０２（ＳＡ１乃至ＳＡ５）と、予め定められた関係から音声入力装置である前記マイクロフォン４０により入力される音声情報に基づいて前記カラオケ装置１６による演奏を評価する演奏評価制御手段１１０（ＳＢ４）と、期間を任意に設定でき、その期間内における前記演奏評価制御手段１１０による評価結果を、前記ログイン認証制御手段１０２により認証される利用者を母集団として統計する演奏評価統計手段１１２（ＳＣ６）とを、備えたものであることから、対象となるカラオケ装置１６を頻繁に利用する比較的少人数の利用者の間で、任意に期間を決定してのカラオケ大会を開催することができる。すなわち、カラオケ演奏を行う仲間内の連帯を強める演奏評価機能を備えたカラオケ装置１６を提供することができる。
【００４９】
また、前記演奏評価統計手段１１２は、予め定められた関係から前記ログイン認証制御手段１０２により正常にログイン認証された回数に基づいて前記統計に補正をかけるものであるため、仲間内の事情を汲んで演奏評価統計を操作することができ、仲間内の連帯を更に好適に強めることができる。
【００５０】
また、前記演奏評価統計手段１１２は、前記ログイン認証制御手段１０２により正常にログイン認証された回数が多いほどその利用者の順位が高くなるように前記統計に補正をかけるものであるため、例えばパブやスナック等の店舗において、足繁く通う常連ほど順位が高くなるように演奏評価統計を操作することができ、斯かる常連の満足感を高めることができる。
【００５１】
また、前記演奏評価統計手段１１２は、前記ログイン認証制御手段１０２により正常にログイン認証された回数が少ないほどその利用者の順位が高くなるように前記統計に補正をかけるものであるため、例えばパブやスナック等の店舗において、あまり通わない利用者ほど順位が高くなるように演奏評価統計を操作することができ、斯かる利用者の足を店舗に向かわせる効果が期待できる。
【００５２】
また、前記演奏評価統計手段１１２は、前記期間内における前記演奏評価制御手段１１０による各利用者の評価結果の平均を順位付けする統計を行うものであるため、所定の期間内における利用者の演奏評価統計を実用的な態様で行うことができる。
【００５３】
また、前記演奏評価統計手段１１２は、前記期間の満了前であっても所定の入力装置による操作に応じてその時点までの期間内における前記演奏評価制御手段１１０による評価結果の統計を行うものであるため、仲間内の事情に応じて当初の期間の満了前であってもカラオケ大会を中途終了させ、そこまでの演奏評価統計を行うことができる。
【００５４】
また、前記演奏評価統計手段１１２による統計の結果を表示させると共に、その統計の結果の表示が行われるまで前記演奏評価制御手段１１０による演奏評価結果を非表示とする演奏評価統計結果表示手段１１４（ＳＣ７）を備えたものであるため、カラオケ大会が終了するまで演奏評価結果を開示しないことで、その大会期間中の利用者の気持ちを冷めさせずに維持することができる。
【００５５】
また、前記演奏評価統計手段１１２による統計の対象として、各利用者が少なくとも１回は演奏しなければならない少なくとも１曲の演奏曲を課題曲として設定できるものであるため、仲間内の事情に応じて所定の課題曲を定めることで、その仲間内の連帯を更に好適に強めることができる。
【００５６】
以上、本発明の好適な実施例を図面に基づいて詳細に説明したが、本発明はこれに限定されるものではなく、更に別の態様においても実施できる。
【００５７】
例えば、前述の実施例では、複数のカラオケ装置１６がＬＡＮ２４を介して相互に通信可能とされたカラオケシステム１０におけるカラオケ装置１６に本発明が適用された例を説明したが、本発明はこれに限定されるものではなく、例えば店舗内に１台のみ設置されたカラオケ装置１６や、前記サーバ装置２０に接続されないカラオケ装置１６にも本発明は好適に適用される。
【００５８】
また、前述の実施例では、ログイン認証等に際しての入力操作を行うための入力装置として、専ら前記電子早見本装置２２を用いる例を説明したが、前記操作パネル４６やリモコン装置６４等、他の入力装置を介して各種入力操作を行うものであっても構わない。
【００５９】
その他、一々例示はしないが、本発明はその趣旨を逸脱しない範囲内において種々の変更が加えられて実施されるものである。
【図面の簡単な説明】
【００６０】
【図１】本発明が好適に適用されるカラオケシステムを説明する概略図である。
【図２】本発明の一実施例であるカラオケ装置の構成を例示するブロック線図である。
【図３】図２のカラオケ装置の入力装置である電子早見本装置の構成を説明するブロック線図である。
【図４】図３の電子早見本装置の構成を説明するブロック線図である。
【図５】図２のカラオケ装置のＣＰＵ及び図３の電子早見本装置のＣＰＵに備えられた制御機能の要部を説明する機能ブロック線図である。
【図６】図３の電子早見本装置のタッチパネルディスプレイに表示されるカラオケ大会設定画面を例示する図である。
【図７】図３の電子早見本装置のタッチパネルディスプレイに表示されるカラオケ大会告知画面を例示する図である。
【図８】図２のカラオケ装置の映像表示装置に表示されるカラオケ大会結果発表画面を例示する図である。
【図９】図２のカラオケ装置のＣＰＵによるログイン／ログアウト制御の要部について説明する図である。
【図１０】図２のカラオケ装置のＣＰＵによる演奏評価制御の要部について説明する図である。
【図１１】図２のカラオケ装置のＣＰＵによるカラオケ大会制御の要部について説明する図である。
【符号の説明】
【００６１】
１６：カラオケ装置
２２：電子早見本装置（入力装置）
４０：マイクロフォン（音声入力装置）
１０２：ログイン認証制御手段
１１０：演奏評価制御手段
１１２：演奏評価統計手段
１１４：演奏評価統計結果表示手段
【図１】
2010078880.tif 000003
【図２】
2010078880.tif 000004
【図３】
2010078880.tif 000005
【図４】
2010078880.tif 000006
【図５】
2010078880.tif 000007
【図６】
2010078880.tif 000008
【図７】
2010078880.tif 000009
【図８】
2010078880.tif 000010
【図９】
2010078880.tif 000011
【図１０】
2010078880.tif 000012
【図１１】
2010078880.tif 000013